(57)【特許請求の範囲】
【請求項１】
レンズホルダーの回動軸の直下位置空間に湾曲して構成したスイッチ操作板を、その湾曲部外側を支点として揺動可能に支持し、該スイッチ操作板の先端部をスイッチボタン上に臨ませて位置付け、照準装置本体内に設けたバネによりスイッチ操作板の先端部をスイッチボタンをＯＮ操作するよう押下してあり、一方、スイッチ操作板の後端部をレンズホルダー表面に接触させ、レンズホルダー表面の回動軸からの距離による違いにより、レンズホルダーの起立時に上記の通りスイッチボタンをＯＮ操作し、レンズホルダーの倒立時にレンズホルダーの表面が上記スイッチ操作板の後端部を押し下げ、スイッチ操作板の先端部をバネの弾力に抗して押し上げ、スイッチボタンをＯＦＦ操作するようにしたことを特徴とする小型照準装置のスイッチ機構。
【請求項２】
上記スイッチ操作板の先端部を湾曲したスイッチ操作板を僅かに折曲して構成してある上記請求項１に記載の小型照準装置のスイッチ機構。
【請求項３】
上記スイッチ操作板の後端部を折り返し構成してある上記請求項１または２に記載の小型照準装置のスイッチ機構。
【請求項４】
上記スイッチ操作板の中央湾曲部に透孔を形成し、小型照準装置本体に設けたビス用突起を該透孔内に位置付け、上記スイッチ操作板を安定して位置付けてある上記請求項１乃至３の何れかに記載の小型照準装置のスイッチ機構。
【発明の詳細な説明】
【技術分野】
【０００１】
本発明は、銃、小銃、特に小銃に使用して便利な通称ドットサイトと云われる小型照準装置のスイッチ機構に関する。
【背景技術】
【０００２】
銃、小銃等に装着して使用される照準装置はよく知られている。この公知の照準装置は、装置内に発光体を設け、この発光体から発行する光を装置内に設けたミラーレンズに投射し、このミラーレンズに現出する焦点光を照準点とするものである。発明者及び出願人はこの照準装置をより小型にするため、電源部と光源部とミラーレンズとからなる照準装置のミラーレンズを起立及び倒立可能として、倒立状態で格納可能に軸支してより小さくした小型照準装置を開発し、提案してある（例えば特許文献１）。
【先行技術文献】
【特許文献】
【０００３】
【特許文献１】特開２０１０−２４９３３９号公報
【発明の概要】
【発明が解決しようとする課題】
【０００４】
上記公知の小型照準装置の光源部への通電のＯＮ，ＯＦＦは、上記特許文献１の図１２、図１３に示される通り、照準装置本体１内に上下動し得る操作棒３６を設けてあり、一方、レンズホルダー１４の基部に上記操作棒３６と係合する切欠係止部３７を設け、レンズミラー４及びレンズホルダー１４が跳ね上げ起立したときに、この切欠係止部３７が上記操作棒３６と係合し、この操作棒３６を押下するようにしてあり、この押下により板バネ３４の接片３５を押し上げ、電源部への通電をＯＮにするようにしてある。
【０００５】
上記公知の小型照準装置のスイッチ機構では、照準装置本体内に上下動し得る操作棒を設けてあるから、照準装置本体内に操作棒が上下動する垂直孔を設け、操作棒を垂直孔から上方に突出させる構造となっている。
この構造では、上記操作棒と垂直孔との間に塵埃がたまるという不都合があるという課題があり、また、操作棒を確実に押し下げるために、レンズミラー及びレンズホルダーの起立回動のためのバネを強くしなければならないという課題もあり、さらには、上記バネを強くしてレンズミラー及びレンズホルダーの起立回動を強くしてあるから、その起立回動の際レンズホルダーと操作棒とが当たる音が大きくなり、銃の操作者に不快感を与えるという課題があった。
【課題を解決するための手段】
【０００６】
本発明は、上記課題の原因となる上下動する操作棒を無くして上記課題を解決する新規な小型照準装置のスイッチ機構を提供することを目的する。
そのために、本発明の小型照準装置のスイッチ機構は、レンズホルダーの回動軸の直下位置空間に湾曲して構成したスイッチ操作板を、その湾曲部外側を支点として揺動可能に支持し、該スイッチ操作板の先端部をスイッチボタン上に臨ませて位置付け、照準装置本体内に設けたバネによりスイッチ操作板の先端部をスイッチボタンをＯＮ操作するよう押下してあり、一方、スイッチ操作板の後端部をレンズホルダー表面に接触させ、レンズホルダー表面の回動軸からの距離による違いにより、レンズホルダーの起立時に上記の通りスイッチボタンをＯＮ操作し、レンズホルダーの倒立時にレンズホルダーの表面が上記スイッチ操作板の後端部を押し下げ、スイッチ操作板の先端部をバネの弾力に抗して押し上げ、スイッチボタンをＯＦＦ操作するようにしたことを特徴とするものである。
【０００７】
上記スイッチ操作板の先端部を湾曲したスイッチ操作板を僅かに折曲して構成してあるとよい。
また、上記スイッチ操作板の後端部を折り返し構成してあるとよい。
さらに、上記スイッチ操作板の中央湾曲部に透孔を形成し、小型照準装置本体に設けたビス用突起を該透孔内に位置付け、上記スイッチ操作板を安定して位置付けてあるとよい。
【発明の効果】
【０００８】
本発明の小型照準装置のスイッチ機構は、レンズホルダーの回動軸の直下位置空間に湾曲して構成したスイッチ操作板を、その湾曲部外側を支点として揺動可能に支持し、該スイッチ操作板の先端部をスイッチボタン上に臨ませて位置付け、照準装置本体内に設けたバネによりスイッチ操作板の先端部をスイッチボタンをＯＮ操作するよう押下してあり、一方、スイッチ操作板の後端部をレンズホルダー表面に接触させ、レンズホルダー表面の回動軸からの距離による違いにより、レンズホルダーの起立時に上記の通りスイッチボタンをＯＮ操作し、レンズホルダーの倒立時にレンズホルダーの表面が上記スイッチ操作板の後端部を押し下げ、スイッチ操作板の先端部をバネの弾力に抗して押し上げ、スイッチボタンをＯＦＦ操作するようにしたことを特徴とするものであるから、照準装置本体の上面に上下する操作棒を案内する垂直孔等が生ずる隙間を設けることなく、従って塵埃がたまるようなことのない効果を有する。
また、ミラーレンズを起立するための回動軸に働かせるバネの力をそんなに強くすることがないから、レンズホルダーが起立作動する際にこのレンズホルダーが照準装置に当たる音が大きくなることもなく、操作者に不快感を与えることもないという効果がある。
【図面の簡単な説明】
【０００９】
【図１】ミラーレンズ及びレンズホルダーを倒立格納する小型照準装置の斜面図である。
【図２】ミラーレンズ及びレンズホルダーを起立した小型照準装置の斜面図である。
【図３】レンズホルダーを倒立格納する状態の本発明スイッチ機構を示す図である。
【図４】レンズホルダーを起立させた状態の本発明スイッチ機構を示す図である。
【図５】本発明スイッチ機構の分解斜視図である。
【発明を実施するための形態】
【００１０】
図１及び図２に小型照準装置が示してあり、図１にミラーレンズ及びレンズホルダーを倒立格納している斜面図が示してあり、図２にミラーレンズ及びレンズホルダーを起立している使用状態の斜面図が示してある。
図中１が小型照準装置全体を示してあり、その躯体となる照準装置本体を符号２で示してある。この照準装置本体２にはミラーレンズ３及びレンズホルダー４を倒立して格納する窪み部５を設けてある。この窪み部５の後方に光源部６が設けてあり、その投光部７から起立したミラーレンズ３に向けて光源部６からの光を投射するようにしてある。この光源部６の後方に電源部８を設けてある。
【００１１】
図３乃至図５に本発明のスイッチ機構を示してある。
レンズホルダー４が照準装置本体２に回動軸９に起立するためのバネ弾力を付与して軸支してあり、図３に示す倒立状態では照準装置本体２の窪み部５に格納されている。図４にはレンズホルダー４が起立した状態を示してある。
【００１２】
レンズホルダー４の回動軸９の直下位置空間１０に湾曲して構成したスイッチ操作板１１を設けてある。上記直下位置空間１０は電源部８からの通電を操作する配電基盤１３上に設けられており、スイッチ操作板１１をその湾曲部外側を支点として揺動可能に上記配電基盤１３上に支持してある。
上記スイッチ操作板１１の先端部１２を図示する通り湾曲したスイッチ操作板１１を僅かに折曲して平板状に構成してあり、この先端部１２を配電基盤１３上に設けたスイッチボタン１５上に臨ませて位置付けてある。
【００１３】
上記スイッチボタン１５の直上には、照準装置本体２内に埋め込んでバネ１４を設けてあり、このバネ１４の弾力によりスイッチ操作板１１の先端部１２を押し下げスイッチボタン１５をＯＮ操作するようにしてある。
一方、スイッチ操作板１１の後端部１６は折り返し構成してあり、この後端部１６をレンズホルダー４の表面に接触させ、レンズホルダー４の回動軸からの距離の違いにより、レンズホルダー４の起立時に上記の通りスイッチボタン１５をＯＮ操作し（図４図示）、レンズホルダー４の倒立時にレンズホルダー４の表面が上記スイッチ操作板１１の後端部１６を押し下げ、スイッチ操作板１１の先端部１２をバネ１４の弾圧力に抗して押し上げ、スイッチボタン１５をＯＦＦ操作するようにしてある（図３図示）。
【００１４】
上記スイッチ操作板１１の中央湾曲部には透孔１７を形成してあり、照準装置本体２に設けたビス用突起１８を該透孔１７内に位置付け、上記スイッチ操作板１１を安定して位置付けしてある。
上記ビス用突起１８及び照準装置本体２にはネジ孔１９を設けてあり、対応する配電基盤１３にはネジ透孔２０を設け、ネジ２１により配電基盤１３を照準装置本体２に取り付けてある。
【００１５】
図３に示す通り、レンズホルダー４が倒立して窪み部５に格納されている際は、スイッチ操作板１１はその後端部１６がレンズホルダー４の回動軸９から距離のある表面の個所で押し下げられ、スイッチ操作板１１の先端部１２がバネ１４の弾力に抗して上動し、スイッチボタン１５をＯＦＦ状態にしてある。
次いで、図４に示す通り、レンズホルダー４が起立した際は、スイッチ操作板１１の後端部１６がレンズホルダー４の回動軸９から近い表面の個所に接触し、スイッチ操作板１１の先端部１２がバネ１４の弾力で押し下げられ、該先端部１２がスイッチボタン１５をＯＮ操作し、光源部６に通電する。
【符号の説明】
【００１６】
１  小型照準装置
２  照準装置本体
３  ミラーレンズ
４  レンズホルダー
５  窪み部
６  光源部
７  投光部
８  電源部
９  回動軸
１０  空間
１１  スイッチ操作板
１２  先端部
１３  配電基盤  
１４  バネ
１５  スイッチボタン
１６  後端部
１７  透孔
１８  ビス用突起  
１９  ネジ孔
２０  ネジ透孔
２１  ネジ
【図１】
0005453342.tif 000002
【図２】
0005453342.tif 000003
【図３】
0005453342.tif 000004
【図４】
0005453342.tif 000005
【図５】
0005453342.tif 000006